(57)【要約】【課題】ネットワーク機器から発生する全アラーム情報を元にネットワーク機器の物理的な構成情報であるカタログ情報を自動的に生成することを可能にするネットワーク機器の構成情報自動生成装置及びその方法を提供する。【解決手段】各ネットワーク機器から該ネットワーク機器の種別ごとに異なるフォーマットのアラーム情報を受信し、該アラーム情報を内容に応じて共通的なフォーマットに変換するアラームフォーマット変換処理部７１と、ネットワーク機器の構成情報であるカタログ種別と部位の種別を予め記して格納するカタログ自動生成テーブル７３と、前記アラームフォーマット変換処理部の出力情報を受信し、且つ、前記カタログ自動生成テーブルを参照して、一致するカタログ種別が存在するか否かを判断し、アラーム発生部位を分析し、該当するカタログである装置カタログ、接続カタログ、収容カタログの何れかを作成する分析処理部７２とを有する。【選択図】図３
2007306328.tif 000002
【特許請求の範囲】
【請求項１】
各ネットワーク機器から該ネットワーク機器の種別ごとに異なるフォーマットのアラーム情報を受信し、該アラーム情報を内容に応じて共通的なフォーマットに変換するアラームフォーマット変換処理部と、
ネットワーク機器の構成情報であるカタログ種別と部位の種別を予め記して格納するカタログ自動生成テーブルと、
前記アラームフォーマット変換処理部の出力情報を受信し、且つ、前記カタログ自動生成テーブルを参照して、一致するカタログ種別が存在するか否かを判断し、アラーム発生部位を分析し、該当するカタログである装置定義カタログ、接続定義カタログ、収容定義カタログの何れかを作成する分析処理部と、
を有することを特徴とするネットワーク機器の構成情報自動生成装置。
【請求項２】
請求項１に記載のネットワーク機器の構成情報自動生成装置において、
前記ネットワーク機器の構成情報は、少なくとも装置の実装可能位置を示す装置定義と、接続可能位置を示す接続定義と、収容可能位置を示す収容定義と、の何れかを有することを特徴とするネットワーク機器の構成情報自動生成装置。
【請求項３】
請求項１に記載のネットワーク機器の構成情報自動生成装置において、
前記アラーム情報は、少なくともネットワーク機器の共通部から発生する警報と、ユニットに実装するインタフェース盤から発生する警報と、セクション異常時の警報と、パス異常時の警報と、回線異常時の警報と、の何れかを含むことを特徴とするネットワーク機器の構成情報自動生成装置。
【請求項４】
各ネットワーク機器からアラーム情報を受信する受信手順と、
受信した前記アラーム情報のネットワーク機器の種別ごとに異なるフォーマットをアラーム情報の内容に応じて共通フォーマットに変換するアラームフォーマット変換手順と、  ネットワーク機器の構成情報であるカタログ種別と部位の種別を予め記して格納するカタログ自動生成テーブル格納手順と、
前記アラームフォーマット変換手順後の出力情報を受信し、且つ、前記カタログ自動生成テーブルを参照して、一致するカタログ種別が存在するか否かを判断し、アラーム発生部位を分析し、該当するカタログである装置定義カタログ、接続定義カタログ、収容定義カタログの何れかを作成する分析処理手順と、
を含むことを特徴とするネットワーク機器の構成情報自動生成方法。
【発明の詳細な説明】
【技術分野】
【０００１】
本発明は、ネットワーク機器の構成情報自動生成システム及びその自動生成方法に係り、特に、通信キャリア／サービスプロバイダにおいて、商用ネットワークや社内ネットワークを管理するための、ネットワーク管理装置（ＮＭＳ:Network Management System）において、ネットワークエレメント（ＮＥ：Network Element ）から発生するアラーム情報を元に、ネットワーク機器の構成情報 (以下カタログ情報と称する）を自動的に生成するネットワーク機器の構成情報自動生成システム装置及びその自動生成方法に関するものである。
【背景技術】
【０００２】
一般的に、ネットワーク管理装置にて、ネットワークの構成表示、収容表示、主原因故障判定、故障影響表示等の機能を実現するためには、以下の情報が必要である。
（１）ネットワークエレメント（ＮＥ）の物理的な構成情報
ＮＥにどのような種類のユニットが何個実装できるか。ユニットにどのような種類のＩＦ盤が何枚実装できるか、ＩＦ盤にいくつのポートがあるかなど、ＮＥの種別毎の固有の情報を定義する必要がある。
【０００３】
このカタログ情報により、ネットワーク管理装置に新たな装置を登録する際に、その装置の種別により、実装可能なユニットの種別や実装可能なＩＦの種別などを画面に表示し、運用者は表示されたユニットの種別を選択することで、簡単に新たな装置を登録することができる。ここで、カタログ情報にある、「 最大実装数」 があることにより、「４個のＳＹＳを実装可能な装置に、現在は２個まで実装している」などの実装管理が可能となる。また、１番目のＩＦには種別ＡのＩＦしか実装できないが、2 番目のＩＦには種別Ａ，種別ＢのＩＦが実装可能であるなど、装置の種別毎にきめ細かな定義を行う必要がある。
（２）ＮＥが接続するセクションやパスの収容関係の情報
ＮＥの各ポートにはどのような種類のセクションが接続できるかを定義する必要がある。またＮＥに物理的に接続されるセクション配下には、パスや回線と呼ばれる論理的な区間が１または複数収容される。各種類のセクションにはどの様な種類のパスが何本収容できるか。またパスには、どの様な種類のパスや回線が何本収容できるかなど、セクション・パス・回線の種別毎の情報を定義する必要がある。
【０００４】
このカタログ情報により、ネットワーク管理システムに新たなセクション／ジャンパを登録する際に、運用者は表示されたポートを選択することで簡単に新たなセクション／ジャンパを登録することが可能となる。
【０００５】
従来の技術では、上記のカタログ情報をすべて手作業で登録していた。カタログ情報の作成では、機器のマニュアルを熟読した上で、マニュアルに記載ない事項は実機にて調査を行って設計を行い、その結果をデータとして登録しており、機器の複雑化、および機種数の増大に伴い、非常に大きな労力がかかっていた。また上記人手での作業に伴い、設計ミスや投入ミス等が混入するという問題があった。
【０００６】
なお、交換ノードの任意の回線ポートを一時的に閉塞して、接続先の交換ノードの障害情報に基づいて中継回線接続情報を収集し、ネットワーク構成情報とする発明が知られている。（例えば、特許文献１参照）
また、ネットワークエレメントのアラームをオペレーションシステムにて、共通のフォーマットであるトレイル名称に変換して、ネットワークマネージメントシステムに通知するように構成することで、系統図データを自動的に生成する発明が知られている。（例えば、特許文献２参照）
しかしながら、上記従来技術は、いずれもネットワークの構成情報であって、カタログ情報（ネットワークエレメントの最大実装可能な構成と、セクションやパスの最大収容可能構成）とは全く別物である。
【０００７】
すなわち、ネットワークの構成情報とは、管理対象となるネットワーク上にある実構成（最大構成ではなく、現状実装されている構成）であり、この場合に、カタログ情報も使用するが、自動生成するのではなく、人間によって、マニュアルを見ながら手動で作成していた。
【特許文献１】特開平１０−４１９４１号公報
【特許文献２】特開２００４−１８６７４２号公報
【発明の開示】
【発明が解決しようとする課題】
【０００８】
本発明は、従来技術の問題点を解決するために、
（１）ネットワーク機器から発出する全アラーム情報（全部位の全部位種別の全アラーム種別のアラーム）を元に、ネットワーク機器の物理的な構成情報のカタログ情報を自動的に生成するネットワーク機器の構成情報自動生成装置及びその自動生成方法を提供することを課題とする。
（２）ネットワーク機器にセクション・パス・回線を接続した状態で異常を発生させる事により、該当部位のアラーム情報に加えて、配下のパスや回線のアラームも発出するため、この情報を元にネットワーク機器が接続するセクションやパスの収容関係がわかる。この情報により、収容関係のカタログ情報を自動的に生成するネットワーク機器の構成情報自動生成装置及びその自動生成方法を提供することを課題とする。
【課題を解決するための手段】
【０００９】
上記課題を解決するための第１の発明は、各ネットワーク機器から該ネットワーク機器の種別ごとに異なるフォーマットのアラーム情報を受信し、該アラーム情報を内容に応じて共通的なフォーマットに変換するアラームフォーマット変換処理部と、ネットワーク機器の構成情報であるカタログ種別と部位の種別を予め記して格納するカタログ自動生成テーブルと、前記アラームフォーマット変換処理部の出力情報を受信し、且つ、前記カタログ自動生成テーブルを参照して、一致するカタログ種別が存在するか否かを判断し、アラーム発生部位を分析し、該当するカタログである装置定義カタログ、接続定義カタログ、収容定義カタログの何れかを作成する分析処理部とを有する。
【００１０】
この第１の発明によれば、実装置からカタログ情報を自動的に生成することができ、システム開発の効率向上を図ることができるネットワーク機器の構成情報自動生成装置を提供できる。
【００１１】
第２の発明は、第１の発明に記載のネットワーク機器の構成情報自動生成装置において、前記ネットワーク機器の構成情報は、少なくとも装置の実装可能位置を示す装置定義と、接続可能位置を示す接続定義と、収容可能位置を示す収容定義の何れかを有する。  この第２の発明によれば、ネットワーク機器の実装可能位置のみならず、接続可能位置、収容可能位置についても分析できるネットワーク機器の構成情報自動生成装置を提供できる。
【００１２】
第３の発明は、第１の発明に記載のネットワーク機器の構成情報自動生成装置において、前記アラーム情報は、少なくともネットワーク機器の共通部から発生する警報と、ユニットに実装するインタフェース盤から発生する警報と、セクション異常時の警報と、パス異常時の警報と、回線異常時の警報の何れかを含む。
【００１３】
この第３の発明によれば、機器から発生する全アラーム情報（全部位の全部位種別の全アラーム種別のアラーム）及び機器にセクション、パス、回線を接続した状態で異常を発生させて、機器が接続するセクションやパスの収容関係が把握できるネットワーク機器の構成情報自動生成装置を提供できる。
【００１４】
第４の発明は、各ネットワーク機器からアラーム情報を受信する受信手順と、受信した前記アラーム情報のネットワーク機器の種別ごとに異なるフォーマットをアラーム情報の内容に応じて共通フォーマットに変換するアラームフォーマット変換手順と、ネットワーク機器の構成情報であるカタログ種別と部位の種別を予め記して格納するカタログ自動生成テーブル格納手順と、前記アラームフォーマット変換手順後の出力情報を受信し、且つ、前記カタログ自動生成テーブルを参照して、一致するカタログ種別が存在するか否かを判断し、アラーム発生部位を分析し、該当するカタログである装置定義カタログ、接続定義カタログ、収容定義カタログの何れかを作成する分析処理手順を含む。
【００１５】
この第４の発明によれば、実装置からカタログ情報を自動的に生成することができ、システム開発の効率向上を図ることができるネットワーク機器の構成情報自動生成方法を提供できる。
【発明の効果】
【００１６】
以上、本発明のネットワーク機器の構成情報自動生成装置及びその自動生成方法によれば、実装置からこれらカタログ情報を人手を介することなく自動的に生成することができ、システム開発効率の向上を図ることができる。
【発明を実施するための最良の形態】
【００１７】
以下、本発明の実施の形態について、図を参照しながら説明する。
【００１８】
図１は、本発明が適用されるネットワーク全体構成図である。同図において、１ａ〜１ｅはネットワークを構成する各装置、２ａ，２ｂはジャンパ、３ａ，３ｂはセクション、４はパス、５は回線を示す。装置１ｂは、点線で囲った部分がその収容関係を示し、ジャンパ２ａ、セクション３ａ、パス４および回線５にそれぞれ収容されている状態を示す。      
【００１９】
図２は、本発明が適用されるネットワ−ク機器の物理的な構成図である。同図は、図１の点線部分にある装置１ｂ、ジャンパ２ａ、セクション３ａ、パス４および回線５の詳細な構成図である。同図において、装置１ｂは、低速ＳＹＳ１（１１ａ）と低速ＳＹＳ２（１１ｂ）及び高速ＳＹＳ（１２）を備え、低速ＳＹＳ１（１１ａ）と低速ＳＹＳ２（１１ｂ）にはそれぞれに複数インタフェース（ＩＦ：interface ）を備えている。
【００２０】
ＩＦは、ユニット（ＳＹＳ）に実装するインタフェース (盤）を示し、ＳＹＳは、架（ロッカ）に実装するユニットを示す。なお、各装置毎に収容関係を表すジャンパ、セクション、パスおよび回線の部位名称が表示されている。
（１）カタログ情報の説明
ネットワーク管理装置７では、図１に示すネットワーク全体を管理するために、第１にネットワークを構成する各装置１ａ〜１ｅを登録し、装置の内部にどのような種別のＳＹＳが実装され、各ＳＹＳにどのようなインターフェース盤（ＩＦ）が実装されているか、装置の物理的な構成（図２）を管理する必要がある。第２に装置と装置が接続されるセクション・ジャンパを登録し、そのセクション・ジャンパが、先に登録したどの装置のどのＩＦに接続するかを登録する。第３にセクション・ジャンパの中を通る論理的なパス・回線が、セクションの中の何番目の位置にあるかという収容関係（図１の点線で囲んだ部分）を登録することで、ネットワーク全体を管理することができる。
【００２１】
上記、物理的な構成を登録するためには、その装置には、どのような種類のＳＹＳがいくつ実装可能なのか、そのＳＹＳにはＩＦやＰＯＲＴ（ＩＦにあるケーブルを接続する箇所）がいくつ実装可能なのかという情報（以降、装置定義カタログと呼ぶ）をあらかじめ管理しておくことで、ネットワーク管理システムの利用者は、表示された候補から選択することで、間違えることなく装置の実装情報を登録することができる。
【００２２】
また、セクション・ジャンパを登録する際には、そのセクション・ジャンパが、どの装置に接続可能なのかという情報（以降、接続定義カタログと呼ぶ）を管理することで、利用者は表示された候補（先に登録した装置および装置内のＩＦ）から選択することで、間違えることなくセクション・ジャンパを登録することができる。
【００２３】
次に、論理的なパス・回線を登録する際に、そのパス・回線が、どのセクション・ジャンパに収容可能なのかという情報（以降、収容定義カタログと呼ぶ）を管理することで、利用者は表示された候補（先に登録したセクション・ジャンパ）から選択することで、間違えることなくパス・回線を登録することができる。
【００２４】
上記に説明した通り、装置定義カタログ、接続定義カタログ、収容定義カタログを使用することで、ネットワーク全体の構成を間違えることなく登録することが可能となる。
【００２５】
図３は、本発明の一実施形態におけるネットワーク機器構成情報の自動生成装置の構成図である。同図において、６は各ネットワーク機器、７は商用ネットワークや社内ネットワークを管理するためのネットワーク管理装置であり、７１は機器の種別ごとに異なったアラームフォーマットを共通的なフォーマットに変換するアラームフォーマット変換処理部、７２はアラームフォーマット変換処理部の出力と、カタログ自動生成テーブルの内容から該当のカタログを生成する分析処理部、７３はカタログ自動生成テーブルであり、予めカタログ種別と部位の種別を格納してある。７４、７５および７６はそれぞれ装置定義カタログ格納部、接続定義カタログ格納部および収容定義カタログ格納部であり、分析処理部７２によって生成される各カタログの格納部である。
【００２６】
図４は、本発明の一実施形態におけるアラームフォーマット変換処理後のアラーム内容を示す図である。同図において、アラーム情報を発生時刻、装置情報、部位の種別、発生部位およびアラームの種別毎にフォーマットを共通化し、それぞれのアラーム内容が示される。
【００２７】
図５は、本発明の一実施形態におけるカタログ自動生成テーブルである。このカタログ自動生成テーブルには、カタログ種別 (装置定義カタログ、接続定義カタログ、収容定義カタログ）と、部位の種別（装置、セクション、パス、回線警報など）とが格納される。（２）カタログ自動生成の原理
各ネットワーク機器６のアラームは、機器の種別毎に異なったフォーマットをもっているため、アラームフォーマット変化処理部７１により、共通的なフォーマット（図４）に変換する。アラームフォーマット変換処理後のアラームを受信した分析処理部７２は、カタログ自動生成テーブル（図５）を参照し、該当アラームの部位の種別を参照し、一致するカタログ種別があった場合、その発生部位を分析し、該当のカタログを生成し、それぞれ、装置定義カタログ格納部７４、接続定義カタログ格納部７５、収容定義カタログ格納部７６に格納される。
【００２８】
図６は、本発明の一実施形態における装置カタログ自動生成テーブルである。この装置カタログ自動生成テーブルは、予め作成しておくものであり、装置構成の部位の種別が記されて格納される。
【００２９】
図７は、本発明の一実施形態における各装置毎に発生するアラーム内容を示す図である。同図において、装置の共通部から発生する警報種別は、電源（ＰＯＷ）異常とファン（ＦＡＮ）異常が存在し、それぞれ、警報発生の部位の種別、警報発生部位が確認される。また、高速側インタフェース盤（ＩＦ）と低速側インタフェース盤（ＩＦ）のそれぞれから発生する警報種別は、装置（ＥＱＰＴ）異常が存在し、その警報発生の部位の種別、発生部位が確認される。
【００３０】
図８は、本発明の一実施形態における自動生成された装置定義カタログである。この装置定義カタログは、ネットワーク管理装置７の分析処理装置７２により自動生成される。装置の部位は、共通部、高速ＳＹＳおよび低速ＳＹＳであって、それぞれの実装可能位置が詳細に記録される。即ち、ユニット単位およびユニットに実装するインターフェース（盤）単位である。
（３）装置定義カタログの自動生成
装置定義カタログを自動生成するために、図６に示されるカタログ自動生成テーブルをあらかじめ作成する。
【００３１】
次に、装置定義カタログを作成する装置から、装置系の警報を全て発生させ、ネットワーク管理システムにインプットする。ネットワーク管理システムでは、インプットされた警報の中に、カタログ自動生成テーブルと一致する警報を見つけたら、その発生部位を分析することで、図７の“共通部から発生する警報”から該当装置に部位の種別：共通部としてＵＮＩＴ：０があることが判断できる。図７の“高速側ＩＦから発生する警報”から該当装置に高速ＳＹＳがＵＮＩＴ：１に実装可能であり、高速ＳＹＳ：１には、ＩＦの種別：６ＭＩＦがＩＦ：１として実装可能なことが判断できる。図７の“低速側ＩＦから発生する警報”から該当装置に低速ＳＹＳがＵＮＩＴ：１，２に実装可能であり、低速ＳＹＳ：１にはＩＦの種別：６４ＫＩＦがＩＦ：１からＩＦ：ｎまで実装可能なこと、低速ＳＹＳ２にも同様にＩＦの種別：６４ＫＩＦがＩＦ：１からＩＦ：ｎまで実装可能なことが判断できる。
【００３２】
上記インプット情報から、図８に示される装置定義カタログを自動的に生成することが可能となる。
【００３３】
図９は、本発明の一実施形態における接続カタログ自動生成テーブル及び収容カタログ自動生成テーブルである。この（ａ）接続カタログ自動生成テーブルと（ｂ）収容カタログ自動生成テーブルは、予め作成しておくものであり、それぞれ接続部位および収容部位の種別が記されて格納される。
【００３４】
図１０は、本発明の一実施形態における接続関係及び収容関係より発生するアラーム内容を示す図である。同図において、セクションから発生する警報種別は、受信（ＲＥＣ）異常と対向箇所（ＦＥＬＦ）異常が存在し、それぞれ警報発生の部位の種別と発生部位が確認される。また、パスから発生する警報種別は、受信（ＲＥＣ）異常が存在し、警報発生の部位の種別と発生部位が確認される。さらに、回線から発生する発生する警報種別は、チャネル影響（ＣＨ  ＡＩＳ）異常とチャネルエラー（ＣＨ  ＥＲＲ）が存在し、それぞれ警報発生の部位の種別と発生部位が確認される。
【００３５】
図１１は、本発明の一実施形態における自動生成された接続定義カタログ及び収容定義カタログである。この（ａ）接続定義カタログおよび（ｂ）収容定義カタログは、ネットワーク管理装置７の分析処理装置７２により自動生成される。
【００３６】
接続の部位は、セクションであって、それぞれの接続可能位置が詳細に記録される。即ち、ユニット単位およびユニットに実装するインターフェース（盤）単位である。
【００３７】
収容の部位は、パスまたは回線であって、それぞれの収容可能位置が詳細に記録される。即ち、ユニット単位、ユニットに実装するインターフェース（盤）単位、パス単位およびチャネル単位である。
（４）接続定義カタログの自動生成
接続定義カタログを自動生成するために、図９（ａ）に示される接続カタログ自動生成テーブルをあらかじめ作成する。
【００３８】
次に、接続定義カタログを作成する装置から、セクション異常の警報を全て発生させ、ネットワーク管理装置７にインプットする。ネットワーク管理装置７では、インプットされた警報の中に、接続カタログ自動生成テーブルと一致する警報を見つけたら、その発生部位を分析することで、図１０の“パス異常時の警報”から該当装置の高速ＳＹＳ：１、ＩＦ：１に６Ｍセクションが接続可能なことが判断できる。
【００３９】
上記インプット情報から、図１１（ａ）に示される接続定義カタログを自動的に生成することが可能となる。
（５）収容定義カタログの自動生成
収容定義カタログを自動生成するために、図９（ｂ）に示される収容カタログ自動生成テーブルをあらかじめ作成する。
【００４０】
次に、収容定義カタログを作成する装置から、パス異常・回線異常の警報を全て発生させ、ネットワーク管理装置７にインプットする。ネットワーク管理装置７では、インプットされた警報の中に、収容カタログ自動生成テーブルと一致する警報を見つけたら、その発生部位を分析することで、図１０の“パス異常時の警報”から該当装置の高速ＳＹＳ：１、ＩＦ：１のセクションには、１．５Ｍパスが１，２〜ｎの収容位置として収容可能なことが判断できる。図１０の“回線異常時の警報”から該当装置の高速ＳＹＳ：１、ＩＦ：１のセクションに収容された１．６４Ｋ回線：１には回線（ＣＨ）が１〜n の収容位置として収容可能なこと、同様に１．６４Ｋ回線：２には回線（ＣＨ）が１〜n の収容位置として収容可能なことが判断できる。
【００４１】
上記インプット情報から、図１１（ｂ）に示される収容定義カタログを自動的に生成することが可能となる。
【００４２】
図１２は、本発明の一実施形態におけるネットワーク機器情報の自動生成処理のフローチャートである。以下、図１２の処理フローについて、図３〜図５を用いて説明する。
【００４３】
Ｓ１. ネットワーク管理装置７は、各ネットワーク機器６ａ，６ｂ・・・からアラームを受信する。
【００４４】
Ｓ２．アラームフォーマット変換処理部７１は、図４に示すアラームフォーマット変換処理後の共通的なフォーマットのように、内容ごとに具体的アラーム情報が整理されてフォーマット化される。このアラーム情報を元に、ネットワーク機器の構成情報 (以下カタログ情報と呼ぶ）が、図５に示すように“カタログ種別”と“部位の種別”が
自動生成される。
【００４５】
Ｓ３. 部位の種別が装置カタログ自動生成テーブル〔図５〕に存在するか否かを判断する。
【００４６】
Ｓ４．Ｓ３にて、部位の種別が存在する場合、装置定義カタログ〔図８〕に存在するか否かを判断する。
【００４７】
Ｓ５．Ｓ４にて、部位の種別が装置定義カタログに存在しない場合、新たに部位の種別を装置定義カタログ（図８）に格納する。
【００４８】
Ｓ６．Ｓ３にて、部位の種別が存在しない場合、及びＳ４にて、部位の種別が装置定義カタログに存在する場合、及び、Ｓ５で装置定義カタログに新たに部位の種別を格納した場合には、次に部位の種別が接続カタログ自動生成テーブルに存在するかを判断する。
【００４９】
Ｓ７．Ｓ６にて、部位の種別が存在する場合、接続定義カタログ〔図９（ａ）〕に存在するか否かを判断する。
【００５０】
Ｓ８．Ｓ７にて、部位の種別が接続定義カタログに存在しない場合、新たに部位の種別を接続定義カタログ〔図９（ａ）〕に格納する。
【００５１】
Ｓ９．Ｓ６にて、部位の種別が存在しない場合、及びＳ７にて、部位の種別が接続定義カタログに存在する場合、及び、Ｓ８で接続定義カタログに新たに部位の種別を格納した場合には、次に部位の種別が収容カタログ自動生成テーブルに存在するかを判断する。
【００５２】
Ｓ１０．Ｓ９部位の種別が存在する場合、収容定義カタログ〔図９（ｂ）〕に存在するか否かを判断する。
【００５３】
Ｓ１１．Ｓ１０にて、部位の種別が収容定義カタログに存在しない場合、新たに部位の種別を収容定義カタログ〔図９（ｂ）〕に格納する。
【００５４】
以上の実施例を含む実施形態に関し、更に以下の付記を開示する。
【００５５】
（付記１）  各ネットワーク機器から該ネットワーク機器の種別ごとに異なるフォーマットのアラーム情報を受信し、該アラーム情報を内容に応じて共通的なフォーマットに変換するアラームフォーマット変換処理部と、
ネットワーク機器の構成情報であるカタログ種別と部位の種別を予め記して格納するカタログ自動生成テーブルと、前記アラームフォーマット変換処理部の出力情報を受信し、且つ、前記カタログ自動生成テーブルを参照して、一致するカタログ種別が存在するか否かを判断し、アラーム発生部位を分析し、該当するカタログである装置定義カタログ、接続定義カタログ、収容定義カタログの何れかを作成する分析処理部とを有することを特徴とするネットワーク機器の構成情報自動生成装置。
（付記２）  付記１に記載のネットワーク機器の構成情報自動生成装置において、前記ネットワーク機器の構成情報は、少なくとも装置の実装可能位置を示す装置定義と、接続可能位置を示す接続定義と、収容可能位置を示す収容定義との何れかを有することを特徴とするネットワーク機器の構成情報自動生成装置。
（付記３）  付記１に記載のネットワーク機器の構成情報自動生成装置において、前記アラーム情報は、少なくともネットワーク機器の共通部から発生する警報と、ユニットに実装するインタフェース盤から発生する警報と、セクション異常時の警報と、パス異常時の警報と、回線異常時の警報と、の何れかを含むことを特徴とするネットワーク機器の構成情報自動生成装置。
（付記４）  各ネットワーク機器からアラーム情報を受信する受信手順と、受信した前記アラーム情報のネットワーク機器の種別ごとに異なるフォーマットをアラーム情報の内容に応じて共通フォーマットに変換するアラームフォーマット変換手順と、ネットワーク機器の構成情報であるカタログ種別と部位の種別を予め記して格納するカタログ自動生成テーブル格納手順と、前記アラームフォーマット変換手順後の出力情報を受信し、且つ、前記カタログ自動生成テーブルを参照して、一致するカタログ種別が存在するか否かを判断し、アラーム発生部位を分析し、該当するカタログである装置定義カタログ、接続定義カタログ、収容定義カタログの何れかを作成する分析処理手順とを含むことを特徴とするネットワーク機器の構成情報自動生成方法。
（付記５）  付記４に記載のネットワーク機器の構成情報自動生成方法において、前記ネットワーク機器の構成情報は、少なくとも装置の実装可能位置を示す装置定義と、接続可能位置を示す接続定義と、収容可能位置を示す収容定義との何れかを有することを特徴とするネットワーク機器の構成情報自動生成方法。
【００５６】
（付記６）  付記４に記載のネットワーク機器の構成情報自動生成方法において、前記アラーム情報は、少なくともネットワーク機器の共通部から発生する警報と、ユニットに実装するインタフェース盤から発生する警報と、セクション異常時の警報と、パス異常時の警報と、回線異常時の警報との何れかを含むことを特徴とするネットワーク機器の構成情報自動生成方法。
【産業上の利用可能性】
【００５７】
本発明は、商用ネットワークや社内ネットワークを管理するためのネットワーク管理装置において、実装置からカタログ情報を入手できるのでネットワークエレメント（ＮＥ）にどのような種類のユニットを何個実装できるかなど、ネットワークエレメント（ＮＥ）の種別毎の固有の情報を自動で生成でき、且つ、ネットワークエレメント（ＮＥ）の各ポートにはどのような種類のセクションが接続でき、セクション配下にどのような種類のパスや回線が何本収容できるかなど、監視・管理機能を効率よく利用できる。
【図面の簡単な説明】
【００５８】
【図１】本発明が適用されるネットワーク全体構成図である。
【図２】本発明が適用されるネットワーク機器の物理的な構成図である。
【図３】本発明の一実施形態におけるネットワーク機器構成情報の自動生成装置の構成図である。
【図４】本発明の一実施形態におけるアラームフォーマット変換処理後のアラーム内容を示す図である。
【図５】本発明の一実施形態におけるカタログ自動生成テーブルである。
【図６】本発明の一実施形態における装置カタログ自動生成テーブルである。
【図７】本発明の一実施形態における各装置毎の発生するアラーム内容を示す図である。
【図８】本発明の一実施形態における自動生成された装置定義カタログである。
【図９】本発明の一実施形態における接続カタログ自動生成テーブル及び収容カタログ自動生成テーブルである。
【図１０】本発明の一実施形態における接続関係及び収容関係より発生するアラーム内容を示す図である。
【図１１】本発明の一実施形態における自動生成された接続定義カタログ及び収容定義カタログである。
【図１２】本発明の一実施形態におけるネットワーク機器情報の自動生成処理のフローチャートである。
【符号の説明】
【００５９】
１ａ〜１ｅ    装置
２ａ、２ｂ    ジャンパ
３ａ、３ｂ    セクション
４    パス
５    回線
６    各ネットワーク機器
７    ネットワーク管理装置
７１    アラームフォーマット変換処理部
７２    分析処理部
７３    カタログ自動生成テーブル
７４    装置定義カタログ格納部
７５    接続定義カタログ格納部
７６    収容定義カタログ格納部
【図１】
2007306328.tif 000003
【図２】
2007306328.tif 000004
【図３】
2007306328.tif 000005
【図４】
2007306328.tif 000006
【図５】
2007306328.tif 000007
【図６】
2007306328.tif 000008
【図７】
2007306328.tif 000009
【図８】
2007306328.tif 000010
【図９】
2007306328.tif 000011
【図１０】
2007306328.tif 000012
【図１１】
2007306328.tif 000013
【図１２】
2007306328.tif 000014